(57)【要約】  本発明は、オープンアタッチメントフレーム（２）及び少なくとも１つの支持体（３ａ、３ｂ）であって、前記支持体は、使用時にバッグが支持体上に載置されることを可能にする突出位置でフレームから外側に延びることができるように、フレーム上に配置され、フレームは、使用時に、使用者の背面と使用者の両側面との間の力を平衡させるように、使用者の両側面の各々の周囲に少なくとも部分的に延びるように成形された、オープンアタッチメントフレーム（２）及び少なくとも１つの支持体（３ａ、３ｂ）を提供する。本発明は、また、上記フレームを有する装備を提供する。【選択図】図１【特許請求の範囲】
【請求項１】
オープンアタッチメントフレーム（２；１０２；２０２；３０２）と、少なくとも１つの支持体（３ａ、３ｂ；１０３ａ、１０３ｂ；２０３ａ、２０３ｂ；３０３）とを備えたバッグキャリアにおいて、
前記支持体は、使用中において、バッグが支持体上に載置されることを可能にする突出位置において、前記フレームから外側に延びることができるように、前記フレーム上に配置されており、
前記フレームは、使用中において、使用者の背面と使用者の両側面との間の力を平衡させるように、少なくとも部分的に前記使用者の各側面の周囲に延びるように成形されている、バッグキャリア。
【請求項２】
使用者の両側面の内の１つに位置することになる前記フレーム（３０２）の少なくとも一端は、使用時に、バックバッグ以外の荷重を支持することができ、かつ、使用者の胴上又は使用者の胴体の側面上に配置され、かつ、バックバッグの背後に配置された荷重に対して構造を平衡させる、突起を有する、請求項１に記載のバッグキャリア。
【請求項３】
前記支持体（３ａ、３ｂ；３０３）は、使用時に、バッグが前記支持体上に載置されることを可能にする前記突出位置と、折り畳まれた離れた位置との間で移動可能である、請求項１又は２に記載のバッグキャリア。
【請求項４】
前記支持体（３ａ、３ｂ；３０３）は、前記突出位置と前記折り畳まれた離れた位置との間で前記フレーム（２；３０２）上を移動するように取り付けられている、請求項３に記載のバッグキャリア。
【請求項５】
前記支持体（３ａ、３ｂ；３０３）は、前記突出位置と前記折り畳まれた離れた位置との間で回転移動するように取り付けられている、請求項４に記載のバッグキャリア。
【請求項６】
前記バッグキャリアは、前記支持体（３ａ、３ｂ；３０３）をその折り畳まれた離れた位置に保持するのに役立つバネを有する、請求項３〜５のいずれか一項に記載のバッグキャリア。
【請求項７】
前記バッグキャリア（３０１）が、前記支持体（３０３）が前記フレームの内側に向かって傾斜するのを防止する少なくとも１つの止め部を有する、請求項１〜６のいずれか一項に記載のバッグキャリア。
【請求項８】
前記支持体（３０３）は、リブが付けられている、請求項１〜７のいずれか一項に記載のバッグキャリア。
【請求項９】
前記支持体（３ａ、３ｂ；３０３）は、前記バッグキャリアのキャリッジ（１２ａ、１２ｂ；３１２）によって前記フレーム（２；３０２）上に取り付けられている、請求項１〜８のいずれか一項に記載のバッグキャリア。
【請求項１０】
前記フレーム（２；１０２；２０２；３０２）は、少なくとも２つの部分から構成される、請求項１〜９のいずれか一項に記載のバッグキャリア。
【請求項１１】
各フレーム部分は、前記支持体（３０３）を担持するキャリッジ（３１２）内に摺動可能に取り付けられている、請求項１０に記載のバッグキャリア。
【請求項１２】
前記支持体（３０３）は、前記フレーム（３０２）から外側にオフセットされている、請求項１〜１１のいずれか一項に記載のバッグキャリア。
【請求項１３】
請求項１〜１２のいずれか一項のバッグキャリアを有する装備であって、前記バッグキャリア上に載置されることになるバッグから独立している、装備。
【発明の詳細な説明】
【技術分野】
【０００１】
本発明は、オープンアタッチメントフレームと、バッグが載置される支持体とを備えるバッグキャリアに関する。
【０００２】
本発明は、また、上記バッグキャリアを有する装備（ベルトなどの繊維装備及び／又は外骨格タイプの機械的装備）であって、該装備はバッグキャリア上に載置されるためのバッグから独立している、装備に関する。
【背景技術】
【０００３】
屋外活動のための近代的なバックバッグは、通常、使用者の腰にバックバッグの重量の一部を移す役割を果たすウエストベルトを有している。
【０００４】
これは、使用者の上半身に課される力を制限する役割を果たし、使用者の背中を弱めるのに役立つ。
【０００５】
上記のウエストベルトは非常に人間工学的ではあるが、このタイプのバックバッグは軍事分野ではほとんど使用できない。具体的には、兵士には既に繊維装備（弾薬を運ぶためのジャケットやベルトなど）が装備されており、この装備がウエストベルトの閉鎖を妨げる又は防ぐ。
【０００６】
兵士は、通常では１５キログラム（ｋｇ）以上、ときには５０ｋｇ、最も極端な状況では６０ｋｇ程度の重い荷物を運ぶことが多いので、装備がウエストベルトの閉鎖を妨げる又は防ぐのは問題である。
【発明の概要】
【発明が解決しようとする課題】
【０００７】
したがって、本発明の目的は、バッグが使用者に及ぼす重量をより良好に分配することに役立ち、軍事的状況においても同様に役立つ解決策を提案することである。
【課題を解決するための手段】
【０００８】
この目的を達成するために、オープンアタッチメントフレームと少なくとも１つの支持体とを備えるバッグキャリアであって、該支持体は、使用中において、バッグが支持体上に載置されることを可能にする突出位置でフレームから外側に延びることができるようにフレーム上に配置されており、該フレームは、使用中において、使用者の背面と使用者の両側面との間の力を平衡させるように、使用者の両側面の各々の周りに少なくとも部分的に延びるように成形されている、バッグキャリアが提案されている。
【０００９】
その結果、使用者にバッグキャリアを装着させるためには、例えば、使用者が既に装着しているベルトにフレームを装着すればよい。
【００１０】
使用時において、その突出位置にある支持体は、その後、使用者がバッグを支持体上に下ろすことができ、次いで、バッグキャリアは、ウエストベルトとして作用しうる。
【００１１】
このように、本発明は、単純であり、特に、装備が兵士によって既に担持されている与えられている場合に軍事活動にも適合する解決策を提供する。従って、バッグキャリアを、兵士によって既に装着されているベルトに連結させることが可能である。
【００１２】
有利的には、本発明は、バッグを固定する必要がない。したがって、緊急時には、バッグを迅速に取り外すことができる。
【００１３】
また、フレームは、使用者の背中だけでなく、使用者の両側面の周りに延びるので、使用者の背中に力が集中することを避け、従って、使用者の周りにより良好に力を分配することが可能である。さらに、例えば軍事的状況では、例えば弾道チョッキなどのバックバッグ以外の装備は、次いで、フレーム上に載置されることができ、それにより、使用者をさらに軽減し、バックバッグに関連する装着者の背後の荷重を平衡させる役割も果たす。
【００１４】
好ましくは、使用者の両側面の内の１つに位置されるべきフレームの少なくとも１つの端部は、突出部を有する。
【００１５】
これにより、バッグキャリア上のバッグ以外の装備に対してさらに多くの支持体を提供することができ、それにより、背側に位置する荷重をさらに緩和し、カウンターバランスを取ることができる。
【００１６】
特定の実施形態では、支持体は、使用中において、バッグが支持体上に載置されることを可能にする突出位置と、折り畳まれた離れた位置との間で移動可能である。
【００１７】
したがって、支持体は、折り畳むことができ、それによって、バッグキャリアをより人間工学的なものにすることができる。特に、バッグキャリア上に載置しているバッグがない場合でも、使用者は、支持体を折り畳まれた位置に置くことができ、妨げとなることなく、バッグキャリアを着用し続けることができる。
【００１８】
特定の実施形態では、支持体は、突出位置と折り畳まれた離れた位置との間でフレーム上で移動するように取り付けられる。
【００１９】
したがって、支持体をフレームに対して移動させることによって、支持体を折り畳むことは非常に簡単である。
【００２０】
選択的に、支持体は、突出位置と折り畳まれた離れた位置との間で回転運動するように取り付けられる。
【００２１】
選択的に、バッグキャリアは、支持体をその折り畳まれた離れた位置に保持するのに役立つバネを有する。
【００２２】
選択的に、バッグキャリアは、支持体がフレームの内側に向かって傾斜するのを防止する少なくとも１つの止め部を有する。
【００２３】
選択的に、支持体は、支持体上のバックバッグに対して良好なグリップを提供するようにリブが付けられている。
【００２４】
選択的に、支持体は、バッグキャリアのキャリッジによって、フレーム上に移動可能に取り付けられる。
【００２５】
選択的に、フレームは、少なくとも２つの部分から構成される。
【００２６】
選択的に、各フレーム部分は、支持体を担持するキャリッジ内に摺動可能に取り付けられる。
【００２７】
選択的に、支持体は、フレームから外側にオフセットされる。
【００２８】
本発明は、また、上記バッグキャリアを有する装備であって、バッグキャリア上に載置されることになるバッグから独立している、装備を提供する。
【００２９】
そのため、バッグを固定することは必須ではない。したがって、緊急時には、バッグを迅速に取り外すことができる。
【００３０】
装備（ベルト、外骨格など）は、バッグキャリアの装着専用としうる。
【００３１】
変形例では、装備（ベルト、外骨格など）が使用者によって既に着用されており、バッグキャリアがこの装備に取り付けられている。
【００３２】
従って、軍事的状況では、バッグキャリアを、使用者によって既に着用されているベルト、例えばガンベルトに連結させることが可能である。典型的には、バッグキャリアは、弾薬及び付属品を運ぶために、フレームがベルトの防弾内部バンドとベルトの外部バンドとの間に位置するように配置される。
【００３３】
本発明の他の特徴及び利点は、本発明の特定の限定されない実施形態の以下の説明を読むことで明らかになる。
【図面の簡単な説明】
【００３４】
【図１】図１は、本発明の第１の実施形態におけるバッグキャリアの三次元図である。
【図２】図２は、支持体はその折り畳み位置にある、図１に示されているバッグキャリアの一部の三次元図である。
【図３】図３は、キャリッジが図２の位置とは異なる位置にある、図２と同様の図である。
【図４】図４は、図１に示したバッグキャリアのキャリッジの三次元図である。
【図５】図５は、本発明の第２の実施形態におけるバッグキャリアの三次元図である。
【図６】図６は、本発明の第３の実施形態におけるバッグキャリアの三次元図である。
【図７】図７は、本発明の第４の実施形態におけるバッグキャリアの三次元図である。
【図８】図８は、図７とは異なる角度から見た、図７に示したバッグキャリアの三次元図である。
【発明を実施するための形態】
【００３５】
本発明は、添付の図面を参照して以下の記載についてより良く理解することができる。
【００３６】
図１を参照すると、本発明の第１の実施の形態において、全体的な参照番号１が与えられたバッグキャリアは、使用者が着用される装備（図示せず）にバッグキャリア１を取り付けるための開口フレーム２を備える。この装備は、バッグキャリア１（ベルトなどの繊維装備及び／又は外骨格タイプの機械的装備）を着用するために特別に開発されてもよく、又は、既に存在する装備（ベルトなどの繊維装備及び／又は外骨格タイプの機械的装備）であってもよい。好ましくは、この装備は、使用者の身体の上部を軽減するように使用者の胴体の下部が力を吸収するために、少なくとも部分的に使用者の胴体の下部に装着される。
【００３７】
フレーム２は、使用者の腰背部の形状に合わせて成形される。
【００３８】
フレーム２は、バッグキャリア１に載置されたバッグによって加えられる力が、使用者の背中の中央に集中しないように成形されている。
【００３９】
このような状況下では、フレーム２は、使用者の背中と使用者の両側面との間の力を平衡させるように成形される。
【００４０】
このため、本例ではフレーム２は略Ｕ字状である。典型的には、フレーム２は、直線状又はわずかに湾曲した中央部分から構成され、この中央部分は、２つの湾曲したセグメントによって対称的に延ばされており、中央部分は、使用者の背中の周りに適合するように設計されており、２つの湾曲したセグメントは、使用者の両側面の周りに適合するように設計されている。
【００４１】
このようにして、歩行中に腕の動きを妨げないようにするために、この例におけるフレーム２は、使用者を完全に囲まないように成形される。典型的には、フレーム２は、実質的に１８０°にわたって使用者の周囲に延びるように成形される。
【００４２】
好ましくは、この例におけるフレーム２は、少なくとも２つの別個の部分を有する。特定の実施形態では、フレームは、２つの別個の部分３ａ及び３ｂから構成される。
【００４３】
これにより、使用者は、フレーム２を使用者自身の体格に適応させることができ、それによって、バッグキャリアをより人間工学的にすることができる。例えば、より重い体格の使用者は、２つの部分３ａ及び３ｂが接触しないようにフレーム２を組み立てることができる。このように、フレーム２の形状は、２つの部分３ａ，３ｂが互いに接触する状況に対応している。
【００４４】
有利的には、フレーム２を２つの部分３ａ及び３ｂに分離することにより、各臀部(hip)が１つの部分のみに関連している、使用時における使用者の移動が容易になる。
【００４５】
さらに、これは、バッグキャリア１上に載置されたバッグによって加えられる力が、使用者の両側により集中し、これにより、使用者が、バッグが２つの部分の間でより良好に平衡されるという効果の下で力を受けることを保証する。
【００４６】
また、これにより、バッグの大きさに適応させることができる。
【００４７】
一例として、２つの部分３ａ及び３ｂを成形によって得ることができる。
【００４８】
この例では、２つの部分３ａ及び３ｂは、プラスチック材料からなる。
【００４９】
各部分３ａ、３ｂは、好ましくは、実質的に円弧状であり、そこから装備に取り付けるための少なくとも１つの取り付けタブが延びている連続リム４ａ、４ｂを有する。所与の部分の取り付けタブ（複数可）は（共同で）、
・２つの部分３ａ及び３ｂが互いに接触する場合、他の部分と接触するための直線又は湾曲した近位セグメントと、
・近位セグメントを延長する、湾曲している遠位セグメントとを画定する。
【００５０】
タブは、好ましくは、使用者の背部の湾曲の周囲に適合するように湾曲される。このタブは、バッグキャリア１を使用者に取り付けることを簡単にするためにも役立つ。
【００５１】
上述したように、バッグキャリア１は、そのタブを介して装備に取り付けられることによって使用者に接続される。
【００５２】
具体的には、各タブは、各部分３ａ、３ｂを装備に取り付けるための１つ又は複数のストラップを通すための（例えば、垂直に及び／又は水平に延びる）オリフィスを有する。その代わり、又は加えて、前記オリフィスは、バッグキャリア１の重量を制限する役割を果たす。
【００５３】
従って、タブの数及び形状、並びにオリフィスの数及び形状は、バッグキャリアを運ぶ装備に依る。
【００５４】
一例として、複数のタブの間の間隔は軍事用繊維装備片の織物片の幅に対応しうる。
【００５５】
特定の実施形態では、各部分３ａ、３ｂは、検討中の部分の近位セグメントを形成する第１のタブ５ａ、５ｂと、検討中の部分の遠位セグメントを共同で形成する２つの他のタブ６ａ、７ａ及び６ｂ、７ｂとを有し、様々なタブは互いに分離されている。バッグキャリアの最外側のタブ７ａ、７ｂは中央オリフィス８ａ、８ｂを有し、中間タブ６ａ、６ｂは、垂直に延びるオリフィス９ａ、９ｂ（それらの内の一部のみが図で参照されている）と、水平に延びるオリフィス１０ａ、１０ｂ（それらの内の一部のみが図で参照されている）底縁部とを有し、中央タブ５ａ、５ｂは、垂直に延びるオリフィスのみ（図では見えない）を有する。
【００５６】
これにより、バッグキャリア１をベルトなどの軍事用繊維装備に取り付けることができる。
【００５７】
その結果、バッグキャリア１は、その上に載置されるバッグに連結されず、従って、使用者は、バッグをはるかに容易に取り出すことができる。
【００５８】
有利的には、このようにベルトに連結されることにより、バッグキャリア１は、ジャケット、弾道防護ベスト（ＢＰＶ）、スマートジャケット（ＳＪ）、又は、実際にはモジュール式弾道構造（ＭＢＳ）などの、使用者が着用する別の繊維装備の着用に寄与する。
【００５９】
これは、ジャケット型の繊維装備が比較的重い軍事的状況において特に有利である。具体的には、ジャケットは、必然的に、フレーム２のリム４ａ、４ｂ上に載置されるようになり、それによって、ジャケットの重量の一部を使用者の肩から使用者の臀部に移すことが可能になる。
【００６０】
これは、使用者の上半身に課される力をさらに制限する役割を果たす。
【００６１】
典型的には、軍事的状況において、バッグキャリア１は、フレーム２がベルトの弾丸防止内側バンドとベルトの外側バンドとの間に存在するように配置される。
【００６２】
有利的には、バッグキャリア１は、ジャケット内の種々の要素（弾薬、電子要素など）が与えられた場合、バッグとジャケットは、必然的に、使用者の胴体の背面及び前面に向かってそれぞれ引っ張られる傾向があるので、使用者がジャケットとバッグとの間で受ける力が均衡を保つ方法を変える役割も果たす。特に、バッグキャリア１は、使用者の臀部にかかる力を増大させる役割を果たす。
【００６３】
好ましくは、バッグキャリア１は、バッグ及びジャケットによって加えられる力の結果が、使用者の腸骨稜の少し後ろに存在するような形に成形される。
【００６４】
選択的に、リム４ａ、４ｂも、同様に、歩行時に使用者を過度に妨害しないことを目的として、前記リム４ａ、４ｂの近位端におけるよりも前記リム４ａ、４ｂの遠位端における方が小さくなるように成形される。
【００６５】
バッグキャリア１は、さらに、少なくとも１つの支持体も有する。好ましくは、フレーム２の各部分３ａ、３ｂは、それ自体の支持体１１ａ、１１ｂを有する。したがって、この例では、バッグキャリア１は、２つの別個の支持体１１ａ及び１１ｂを有する。
【００６６】
一例として、２つの支持体１１ａ及び１１ｂを成形で得ることができる。この例では、２つの支持体１１ａ及び１１ｂはプラスチック材料で作られる。
【００６７】
好ましい態様では、２つの支持体１１ａ及び１１ｂは、２つの支持体１１ａ及び１１ｂをフレーム２に対して摺動させることを可能にする、それぞれのキャリッジ１２ａ及び１２ｂによってフレーム２上に取り付けられる（これらのキャリッジの１つは、図４においてより目視可能である）。この例では、これらキャリッジは、両方のキャリッジが円周方向（すなわち、使用者の周囲、バッグキャリアが使用者によって装着されているときに実質的に使用者の頭から足への軸を中心として）に摺動できるように配置されている。
【００６８】
これにより、バッグキャリア１はさらに人間工学的になる。また、これにより、バッグキャリア１をバッグの大きさに適応させることができる。
【００６９】
典型的には、各部分３ａ、３ｂは、それ自体の支持体１１ａ、１１ｂが取り付けられたそれ自体のキャリッジ１２ａ、１２ｂを有する。各部分３ａ、３ｂについて、キャリッジは、その基端セグメント上で摺動するように取り付けられ、前記部分の全長上ではない。この目的のために、また、図３及び図４でより良く分かるように、各部分３ａ、３ｂの中央タブ５ａ、５ｂは、キャリッジ１２ａ、１２ｂがレール１８とレール１９の間を摺動することができるように、その上端及び下端にレール１８、１９を有する。
【００７０】
一例として、２つのキャリッジ１２ａ及び１２ｂを成形で得ることができる。この例では、２つのキャリッジ１２ａ及び１２ｂはプラスチック材料で作られている。
【００７１】
図４から分かるように、各キャリッジ１２ａ、１２ｂは、検討中の中央タブ５ａ、５ｂのレール１８、１９に配置されている対応するノッチ２０（その一部のみが図で参照されている）と協働するために、キャリッジの上端及び下端にそれぞれ配置されたスナップファスナフィンガー１６、１７を有する。これは、スナップファスナフィンガー１６、１７が前記中央タブ５ａ、５ｂの一対のノッチ２０に係合しているときに、検討中の部分３ａ、３ｂに対して一時的にキャリッジ１２ａ、１２ｂの位置を設定する役割を果たす。これは、キャリッジ１２ａ、１２ｂがレールから逃げるのを防止する役割も果たす。
【００７２】
また、好ましくは、各支持体３ａ、３ｂは、支持体３ａ、３ｂがフレーム２に沿って延びる折り畳まれた離れた位置と、バッグが使用時の支持体３ａ、３ｂ上に載置されることを可能にする突出位置との間を移動するように、フレーム２上に移動可能に取り付けられている。
【００７３】
この例では、各支持体３ａ、３ｂは、それぞれの回動ピンを中心としてその折り畳まれた離れた位置とその突出した位置との間で回動するように、関連するキャリッジ１２ａ、１２ｂ上に回動可能に取り付けられている。好ましい態様では、各支持体３ａ、３ｂは、
・（図２に示される）折り畳まれた離れた位置で、支持体３ａ、３ｂは、フレーム２に沿って延び、
・（図１に示される）その突出した位置で、支持体３ａ、３ｂは、フレーム２に対して実質的に横断方向又は垂直方向に延びるように、関連するキャリッジ１２ａ、１２ｂ上に回動可能に取り付けられている。
【００７４】
具体的には、支持体３ａ、３ｂは、
・その折り畳まれた離れた位置において、支持体３ａ，３ｂはほぼ垂直上方に延び、
・その突出位置において、支持体３ａ，３ｂはほぼ水平に延びるように、関連するキャリッジ１２ａ、１２ｂ上に回動可能に取り付けられている。
【００７５】
従って、その折り畳まれた離れた位置では、支持体３ａ、３ｂは、使用者の頭部に向かって使用者の背中に沿って延び、その突出した位置では、支持体３ａ、３ｂは、使用者に対して実質的に垂直に延びる。
【００７６】
好ましくは、バッグキャリア１は、各支持体３ａ、３ｂに関連したバネ１５を有する。
【００７７】
各バネ１５は、使用者がバッグを持ち歩いていない場合に支持体３ａ及び３ｂが使用者の邪魔にならないように、関連する支持体をその折り畳まれた位置に保持するように配置される。使用者がバッグキャリアを使用することを望む場合、使用者は、両方の支持体３ａ及び３ｂを下降させ、バッグの重量の下で、バッグが取り外されない限り、バッグは突出位置に留まる。
【００７８】
一例として、バネ１５は、支持体３ａ及び３ｂのピボットピンと同様に金属製であり、バネは、この例では、前記ピボットピン上に配置されている。
【００７９】
この例では、各支持体３ａ，３ｂは板（プレート）状である。一例を挙げて説明すると、各プレートは、フレーム２から離れるにつれて他方のプレートに対向するその側面から離れるように、幅広くなるように成形される。
【００８０】
好ましくは、支持体３ａ、３ｂの各々に複数のオリフィス１３（その内の一部のみが図で参照されている）が設けられている。
【００８１】
これは、バッグキャリアの重量の軽量化に役立つ。これは、バッグとバッグキャリア１の間の水の保持を避ける役割も果たす。
【００８２】
一例を挙げると、前記オリフィス１３は、長円形状であり、それらは、バッグキャリア１から直線状に外側に延びている。
【００８３】
上述のようなバッグキャリア１は、構造が単純である一方、人間工学的である。
【００８４】
バッグキャリア１は少数の部品で構成されていることが観察されるべきである。バッグキャリア１は、安価に容易に量産することができる。
【００８５】
図５を参照して、第２の実施形態について説明する。第１の実施の形態と異なり、支持体１０３ａ、１０３ｂは、フレームに対して移動可能ではない。
【００８６】
バッグキャリア１０１は、バッグキャリア１０１を、使用者が着用すべき装備片に取り付けるためのオープンアタッチメントフレーム１０２を備えている。この装備は、バッグキャリア１０１（ベルトなどの繊維装備及び／又は外骨格タイプの機械的装備）を着用するために特別に開発されてもよく、又は、この装備は、既に存在する装備（ベルトなどの繊維装備及び／又は外骨格タイプの機械的装備）であってもよい。好ましくは、装備は、使用者の身体の上部を軽減するように使用者の胴体の下部が力を吸収することができるようにするために、少なくとも部分的に使用者の胴体の下部に装着される。
【００８７】
フレーム１０２は、使用者の下背部の形状に適合するように成形される。
【００８８】
フレーム１０２は、バッグキャリア１０１上に載置されたバッグによって加えられる力が、使用者の背中の中央に集中しないように成形される。
【００８９】
このような状況下で、フレーム１０２は、使用者の背中と使用者の両側面との間の力を平衡させるように成形される。
【００９０】
このため、この例では、フレーム１０２は略Ｕ字状である。典型的には、フレーム１０２は、直線状又はわずかに湾曲した中央部分から構成され、この中央部分は、２つの湾曲したセグメントによって対称的に延長され、中央部分は、使用者の背中の周りに適合するように設計され、２つの湾曲したセグメントは、使用者の両側面の周りに適合するように設計される。
【００９１】
歩行中に腕の動きを妨げないようにするために、この例におけるフレーム１０２は、使用者を完全に囲まないように成形される。典型的には、フレーム１０２は、実質的に１８０°にわたって使用者の周囲に延びるように成形される。
【００９２】
好ましくは、この例におけるフレーム１０２は、少なくとも２つの別個の部分を備える。特定の実施形態では、フレーム１０２は、２つの別個の部分から構成される。
【００９３】
これにより、使用者は、フレーム１０２を使用者自身の体格に適合させることができ、それによってバッグキャリア１０１をより人間工学的にすることができる。例えば、より重い体格の使用者は、２つの部分が接触しないようにフレーム１０２を組み立てることができる。したがって、上述したようなフレーム１０２の形状は、２つの部分が互いに接触する状況に対応している。
【００９４】
有利的には、フレーム１０２を２つの部分に分離することは、使用時の使用者の移動を容易にし、各臀部はたった１つの部分に関連している。
【００９５】
さらに、これは、バッグキャリア１上に載置されたバッグによって加えられる力が、使用者の両側により集中し、これにより、バッグが２つの部分の間でより良好に平衡されるという効果の下で使用者が力を受けることを確実にする。また、バッグキャリア１をバッグの大きさに合わせることができる。
【００９６】
一例として、フレーム１０２の２つの部分は、成形によって得られる。
【００９７】
この例では、フレーム１０２の２つの部分は、プラスチック材料で作られている。
【００９８】
好ましくは、各部分は、装備に取り付けるための少なくとも１つの取り付けタブ１１４がそこから延びている、連続リムを有する。所定の部分のタブ（複数可）は、
・２つの部分が互いに接触する場合、他の部分と接触するための直線状又は湾曲した基端部分と、
・基端部分を延長する、湾曲している末端部分とを（共同で）画定している。
【００９９】
タブ１１４は、好ましくは、使用者の背部の湾曲の周りに適合するように湾曲している。これはまた、バッグキャリア１０１を使用者に取り付けることを簡単にするのに役立つ。
【０１００】
上述のように、バッグキャリア１０１は、そのタブ１１４を介して装備に取り付けられることによって使用者に接続される。
【０１０１】
具体的には、各タブ１１４は、各部分を装備に取り付けるのに役立つ１つ又は複数のストラップを通すための（例えば、垂直及び／又は水平に延びる）オリフィスを有する。その代わり、又は加えて、前記オリフィスは、バッグキャリアの重量を制限するのに役立つ。
【０１０２】
従って、タブ１１４の数及び形状、並びにオリフィスの数及び形状は、バッグキャリア１０１を運ぶ装備に依る。一例として、これらのタブ１１４の間の間隔は、軍事用装備片の織物片の幅に対応しうる。
【０１０３】
特定の実施形態では、各部分は、５つのタブ１１４を有し、種々のタブ１１４は、互いに分離されている。全てのタブ１１４は、さらに、垂直に延びるオリフィスも有する。
【０１０４】
これにより、バッグキャリア１０１を軍事用繊維装備に取り付けることが可能になる。
【０１０５】
その結果、バッグキャリア１０１は、その上に載置されるバッグに連結されず、従って、使用者は、バッグをはるかに容易に取り出すことができる。
【０１０６】
有利的には、このようにバッグキャリア１０１をベルトに連結されることによって、バッグキャリア１０１は、ジャケット、弾道防護ベスト（ＢＰＶ）、スマートジャケット（ＳＪ）、又は、実際にはモジュール式弾道構造（ＭＢＳ）などの、使用者が着用する別の繊維要素の着用に寄与する。
【０１０７】
これは、ジャケット型の繊維装備が比較的重い軍事的状況において特に有利である。
【０１０８】
具体的には、ジャケットは、必然的に、フレーム１０２のリムに載るようになり、それによって、ジャケットの重量の一部を、使用者の肩から使用者の臀部に移すことが可能になる。
【０１０９】
これは、使用者の背中を弱める傾向がある使用者の上半身に課される力をさらに制限する役割を果たす。
【０１１０】
典型的には、軍事的状況において、バッグキャリア１０１は、フレーム１０２がベルトの弾丸防止内側バンドとベルトの外側バンドとの間に存在するように配置される。
【０１１１】
有利的には、バッグキャリア１０１は、ジャケット内の種々の要素（弾薬、電子要素など）が与えられた場合、バッグとジャケットは、必然的に、使用者の胴体の背面及び前面に向かってそれぞれ引っ張られる傾向があるので、使用者が受ける力がジャケットとバッグとの間で均衡を保つ方法を変える役割も果たす。特に、バッグキャリア１は、使用者の臀部にかかる力を増大させる役割を果たす。
【０１１２】
好ましくは、バッグキャリア１０１は、バッグ及びジャケットによって加えられる力の結果が、使用者の腸骨稜の山の少し後ろに存在するように成形される。
【０１１３】
バッグキャリア１０１は、さらに、少なくとも１つの支持体１０３ａ、１０３ｂを有する。好ましくは、フレームの各部分は、それ自体の支持体１０３ａ、１０３ｂを有する。したがって、この例では、バッグキャリア１０１は、２つの別個の支持体１０３ａ及び１０３ｂを有する。
【０１１４】
第２の実施形態では、支持体１０３ａ、１０３ｂは、フレーム１０２に対して固定されている。
【０１１５】
この例では、これは、検討中の部分の支持体を形成するフレーム１０２の各部分のリムである。各部分について、支持体１０３ａ、１０３ｂ及びタブ１１４は、単一の部分を形成する。
【０１１６】
この例では、検討中の支持体１０３ａ、１０３ｂ及び部分のタブ１１４は、同時に製造される。
【０１１７】
２つの部分は、好ましくは、支持体１０３ａ及び１０３ｂがフレーム１０２に対して実質的に垂直又は横断方向に延び、それによってバッグが支持体１０３ａ及び１０３ｂ上に載置できる突出位置を規定するように成形される。特に、２つの部分は、支持体１０３ａ及び１０３ｂが前記突出位置において実質的に水平に延びるように成形される。
【０１１８】
支持体１０３ａ、１０３ｂを形成する各リムは、フレーム１０２の中心に近づくにつれて広くなっている、コンマのように成形されている。
【０１１９】
従って、リムは、同様に、歩行時に使用者を過度に妨害しないことを目的として、前記リムの遠位端において、前記リムの近位端におけるよりも小さくなるように成形される。
【０１２０】
具体的には、リムは、（開口及び／又は閉鎖され得る）オリフィスの形態の凹部を有する。
【０１２１】
これは、バッグキャリア１０１の重量を軽くする役割を果たす。これは、さらに、バッグとバッグキャリア１０１との間の水を保持するのを回避する役割も果たす。
【０１２２】
上述のバッグキャリア１０１は、非常に単純な構造である一方、人間工学的である。具体的には、バッグキャリア１０１は、次いで、フレーム１０２とキャリア１０３ａ、１０３ｂとの両方を形成する２つの部分のみを備える。
【０１２３】
バッグキャリア１０１は少数の部品で構成されていることが観察されるべきである。バッグキャリア１０１は、低コストで容易に大量生産することができる。
【０１２４】
上述したように、タブ１１４の形状及び数は、バッグキャリア１０１を取り付けることが所望される装備に依る。
【０１２５】
図６は、バッグキャリア２０１が、上述した２つの実施形態の形状とは異なる別の形状を有する第３の実施形態を示す。
【０１２６】
この第３の実施形態では、各部分は、４つのタブ２１４を有する。更に、全てのタブ２１４は、垂直に延びるオリフィスを有し、タブの一端は円形オリフィスをさらに有する。
【０１２７】
図７及び図８を参照しつつ、本発明の第４の実施形態を説明する。
【０１２８】
バッグキャリアは、全体的な参照番号３０１が与えられており、使用者が着用すべき装備片（図示せず）にバッグキャリア３０１を取り付けるためのオープンアタッチメントフレーム３０２を備えている。当該装備は、バッグキャリア１（ベルトなどの繊維装備及び／又は外骨格タイプの機械的装備）を着用するために特別に開発することができ、又は、既に存在する装備（ベルトなどの繊維装備及び／又は外骨格タイプの機械的装備）としてもよい。好ましくは、この装備は、使用者の身体の上部を解放するように使用者の胴体の下部が力を吸収することができるようにするために、少なくとも部分的に使用者の胴体の下部に装着される。
【０１２９】
フレーム３０２は、使用者の下背部の形状に適合するように成形される。
【０１３０】
フレーム３０２は、バッグキャリア３０１上に載置されたバッグによって加えられる力が、使用者の背中の中央に集中しないように成形される。
【０１３１】
このような状況下で、フレーム３０２は、使用者の背中と使用者の両側面との間の力を平衡させるように成形される。
【０１３２】
このため、この例では、フレーム３０２は略Ｕ字状である。典型的には、フレーム３０２は、直線状又はわずかに湾曲した中央部分から構成され、この中央部分は、２つの湾曲したセグメントによって対称的に延長され、中央部分は、使用者の背中の周りに適合するように設計され、２つの湾曲したセグメントは、使用者の両側面の周りに適合するように設計される。
【０１３３】
歩行中に腕の動きを妨げないようにするために、この例におけるフレーム３０２は、使用者を完全に囲まないように成形される。典型的には、フレーム３０２は、実質的に１８０°にわたって使用者の周囲に延びるように成形される。
【０１３４】
フレーム３０２は、少なくとも２つの別個の部分を有する。特定の実施形態では、フレーム３０２は、２つの別個の部分３０３ａ及び３０３ｂから構成される。
【０１３５】
一例として、２つの部分３０３ａ及び３０３ｂは、成形によって得られうる。
【０１３６】
この例では、２つの部分３０３ａ及び３０３ｂは、プラスチック材料で作られている。
【０１３７】
各部分３０３ａ、３０３ｂは、好ましくは、実質的に円弧状であり、そこから装備に取り付けるための少なくとも１つの取り付けタブが延びている、連続リム３０４ａ、３０４ｂを有する。
【０１３８】
所与の部分の取り付けタブ（複数可）は、
・使用者の背面に対して実質的に配置するための直線状又は湾曲した基端部と、
・使用者の両側面の１つにわたって実質的に配置するための湾曲した末端部とを（共同で）画定する。
【０１３９】
タブは、好ましくは、使用者の骨盤の湾曲の周囲に適合するように湾曲している。これは、また、バッグキャリア３０１を使用者に取り付けることを簡単にするのに役立つ。
【０１４０】
上述のように、バッグキャリア３０１は、そのタブを介して装備に取り付けられることによって使用者に接続される。
【０１４１】
具体的には、各タブは、各部分３０３ａ、３０３ｂを装備に取り付けるための１つ又は複数のストラップを通すための（例えば、垂直及び／又は水平に延びる）オリフィスを有する。その代わり、又は加えて、前記オリフィスは、バッグキャリア３０１の重量を制限する役割を果たす。
【０１４２】
タブの数及びその形状、並びにオリフィスの数及びその形状は、バッグキャリアを運ぶ装備に依る。
【０１４３】
一例として、複数のタブ間の間隔は軍事用繊維装備片の織物片の幅に対応することができる。特定の実施形態では、各部分３０３ａ、３０３ｂは、検討中の部分の近位セグメントを形成する第１のタブ３０５ａ、３０５ｂと、検討中の部分の遠位セグメントを形成する別のタブ３０６ａ、３０６ｂとを有し、種々のタブは互いに分離している。バッグキャリアの最も外側のタブ３０６ａ、３０６ｂは、２つの水平方向に延びるオリフィス３１０ａ、３１０ｂの間に垂直方向に延びるオリフィス３０９ａ、３０９ｂ（その内の一部のみが図で参照されている）を有し、中央のタブ３０５ａ、３０５ｂは、２つの水平方向に延びるオリフィス３１０ａ、３１０ｂの間に垂直方向に延びるオリフィス３０９ａ、３０９ｂ（その内の一部のみ図で参照されている）を有する。
【０１４４】
これにより、バッグキャリア３０１をベルトなどの軍事用繊維装備に取り付けることが可能になる。
【０１４５】
その結果、バッグキャリア３０１は、その上に載置されるバッグに連結されず、従って、使用者は、バッグをはるかに容易に取り出すことができる。
【０１４６】
有利的には、バッグキャリア３０１は、このようにベルトに連結されることによって、バッグキャリア３０１は、ジャケット、弾道防護ベスト（ＢＰＶ）、スマートジャケット（ＳＪ）、又は実際にはモジュール式弾道構造（ＭＢＳ）などの、使用者が着用する別の繊維要素の着用に寄与する。
【０１４７】
これは、ジャケット型の繊維装備が比較的重い軍事的状況において特に有利である。
【０１４８】
具体的には、ジャケットは、必然的に、フレーム３０２のリム３０４ａ、３０４ｂ上に載置されるようになり、それによって、ジャケットの重量の一部を、使用者の肩から使用者の腰に移すことが可能になる。
【０１４９】
これは、使用者の上半身に課せられる力をさらに制限し、バックバッグからの力は、荷重が使用者に安定して快適になるように、身体の後方に位置する支持体上でカウンターバランスを取られる。
【０１５０】
典型的には、軍事的状況において、バッグキャリア３０１は、フレーム３０２がベルトの弾丸防止内側バンドとベルトの外側バンドとの間に存在するように配置される。例えば、バッグキャリア３０１を正しく配置するために、取り付けタブは、２つのバンドの間で摺動させられる。
【０１５１】
有利的には、バッグキャリア３０１は、ジャケット内の種々の要素（弾薬、電子要素など）が与えられた場合、バッグ及びジャケットは、必然的に、使用者の胴体の背面及び前面に向かってそれぞれ引き寄せる傾向があるので、使用者が受ける力がジャケットとバッグとの間で均衡を保つ方法を変える役割も果たす。特に、バッグキャリア３０１は、使用者の臀部上の力を増大させる役割を果たす。
【０１５２】
好ましくは、バッグキャリア３０１は、バッグ及びジャケットによって加えられる力の結果が、使用者の腸骨稜の少し後ろに存在するように成形される。
【０１５３】
好ましくは、フレーム３０２のリム３０４ａ、３０４ｂの各々は、その遠位端部（すなわち、フレームの中心から最も遠いその端部）で広がる。この広がりにより、フレームの両側において突起３０７ａ、３０７ｂが形成される。
【０１５４】
これは、バッグキャリア３０１によって提供される支持体を、ジャケットなどの追加の装備にさらに改善する役割を果たす。
【０１５５】
各突起３０７ａ、３０７ｂは、平面である。この例では、各突起３０７ａ、３０７ｂは、略楕円形状である。
【０１５６】
バッグキャリア３０１は、さらに、少なくとも１つの支持体を有する。この例では、バッグキャリア３０１は単一の支持体３１１を有する。
【０１５７】
一例として、支持体３１１は成形によって得られる。この例では、支持体３１１はプラスチック材料からなる。
【０１５８】
好ましい方法では、支持体３１１は、キャリッジ３１２によってフレーム３０２上に取り付けられる。
【０１５９】
特に、フレーム３０２の各部分３０３ａ、３０３ｂは、キャリッジ３１２内に摺動可能に取り付けられている。この例では、キャリッジ３１２は、両方の部分３０３ａ及び３０３ｂが円周方向に（即ち、使用者の周囲、バッグキャリアが使用者によって装着されている場合には、実質的に使用者の頭から足への軸を中心として）摺動できるように配置されている。
【０１６０】
これにより、使用者は、フレーム３０２を使用者自身の体格に適合させることができ、それによってバッグキャリアをより人間工学的にすることができる。例えば、使用者は、２つの部分３０３ａ及び３０３ｂが互いに接触しないように、又は逆に、２つの部分３０３ａ及び３０３ｂが実際に互いに接触するように、フレーム３０２を配置することができる。全ての状況下で、２つの部分３０３ａ及び３０３ｂは、たとえ互いに対して、かつキャリッジ３１２に対して自由に摺動するにもかかわらず、キャリッジ３１２によって互いに接続されたままである。
【０１６１】
バッグキャリア３０１が既に操作者の所定の位置にあるベルトに装着される軍事的状況において、２つの部分３０３ａ及び３０３ｂがキャリッジ３１２に対して摺動することができることにより、操作者は、バッグキャリア３０１を、ベルトの大きさ、特に、ある軍事卸売業者から入手可能な３つの標準的なベルト大きさ（１〜３）の１つに適合させることができる。このように、同じバッグキャリア３０１は、様々な体格及び大きさの人々の間で同様の有益な人間工学的効果を保ちつつ、異なる体格の異なる操作者で使用され得る。
【０１６２】
さらに、これは、バッグキャリア３０１上に載置されたバッグによって加えられる力が、使用者の両側により集中させ、これにより、バッグが２つの部分の間でより良好に平衡されるという効果の下で使用者が力を受けることを確実にする。
【０１６３】
したがって、各部分３０３ａ、３０３ｂは、キャリッジ３１２上で独立して摺動するように取り付けられる。
【０１６４】
この目的のために、キャリッジ３１２は、各部分３０３ａ、３０３ｂが第１のレール３１７と第２のレール３１８との間でキャリッジ３１２に対して摺動できるようにするために、上端に第１のレール３１７、下端に第２のレール３１８を有する。典型的には、リム３０４ａ及び３０４ｂが上端側レール３１７内を摺動し、舌片が下端側レール３１８内を摺動する各部分３０３ａ、３０３ｂに取り付けられている。
【０１６５】
一例として、キャリッジ３１２は、成形によって得られる。この例では、キャリッジ３１２はプラスチック材料で作られている。
【０１６６】
さらに、キャリッジ３１２は、その底端部付近に２つのスロット３１９ａ及び３１９ｂを有し、それぞれが各部分３０３ａ、３０３ｂに取り付けられた舌片のそれぞれに接続された、それぞれのペグ３２０ａ、３２０ｂを摺動可能に受け入れる。各スロット３１９ａ、３１９ｂは両端で閉じられているので、上述のスロットとペグの組み合わせは、キャリッジ３１２に対する各部分３０３ａ、３０３ｂの摺動を制限するのに役立ち、特に、２つの部分３０３ａ及び３０３ｂのいずれもキャリッジ３１２から逃げることがないようにするのに役立つ。
【０１６７】
その結果、この例では２つの部分３０３ａ及び３０３ｂは独立しているが、それにもかかわらず、キャリッジ３１２によって互いに連結されたままである。この第４の実施形態では、バッグキャリア３０１は、一体のアセンブリを形成する。それにもかかわらず、ペグ３２０ａ〜３２０ｂに作用させることによって、アセンブリを分解して３つの別個の部品を形成することができ、それによって、使用者が利用しないことを決定した場合にバッグキャリアを運びやすくし、よりコンパクトにすることができる。
【０１６８】
また好ましくは、支持体３０３は、支持体３０３がフレーム３０２に沿って延びる折り畳まれた離れた位置と、バッグが使用時の支持体３０３上に載置されることを可能にする突出位置との間を移動するように、フレーム３０２上に移動可能に取り付けられる。
【０１６９】
この例では、支持体３０３は、その折り畳まれた離れた位置と、その突出位置との間で回動軸Ｚを中心として回動するように、関連するキャリッジ３１２上に回動可能に取り付けられている。
【０１７０】
好ましくは、他の実施形態では、この回動軸がキャリッジの構造のほぼ垂直上方にあるのに対して、第４の実施形態では、支持体３０３は、回動軸Ｚがリム３０４ａ、３０４ｂからフレーム３０２の外側に向かってオフセットされるように、言い換えれば、支持体は、矢状面内で、すなわち、操作者が輪郭に見えるときに、Ｌ字状であるように、キャリッジ上に回動可能に取り付けられている。
【０１７１】
このようにして、支持体３０３は、フレーム３０２から外側に、すなわちバッグキャリア３０１の外側に向かってオフセットされている。
【０１７２】
これは、特に弾道プレートが存在する場合に弾道防護ベストがかなりの厚さであるので、支持体が折り畳まれたままの位置にある場合に、軍事的状況において特に有利であることが判明する。このＬ字状により、支持体が、それに対して垂直に留まるように、ベストの厚さを超えることを可能にし、支持体は、支持体と直接的に垂直に整列しているキャリッジ上でその回転中心を有する直線状支持体は、ベストの厚さの外に出ることができず、その折り畳み位置で半開のままである。
【０１７３】
好ましい態様では、支持体３０３は、
・その折り畳まれた離れた位置において、支持体３０３は、フレーム３０２に沿って延び、かつ、
・その突出位置において、支持体３０３は、フレーム３０２に対して実質的に横断方向又は垂直方向に延びるように、関連するキャリッジ３１２上に回動可能に取り付けられている。
【０１７４】
具体的には、支持体３０３は、
・その折り畳まれた離れた位置において、支持体３０３がほぼ垂直上方に延び、
・その突出位置において、支持体３０３がほぼ水平方向に延びているように、関連するキャリッジ３１２上に回動可能に取り付けられる。
【０１７５】
したがって、その折り畳まれた離れた位置では、支持体３０３は、使用者の頭部に向かって使用者の背中に沿って延び、その突出位置では、支持体３０３は、使用者に対して実質的に垂直に延びる。
【０１７６】
選択的に、バッグキャリア３０１は、キャリア３０３に関連するバネを有する。
【０１７７】
バネは、支持体３０３をその折り畳まれた離れた位置に保持し、その結果、使用者がバッグを持ち歩いていない場合に、支持体３０３が使用者の邪魔にならないように配置されている。使用者がバッグキャリアを使用することを望む場合、使用者はキャリア３０３を下降し、バッグの重量の下で、バッグが取り外されない限り、バッグは突出位置に留まる。
【０１７８】
一例として、バネは、支持体３０３のピボットピンのように金属製であり、バネは、前記回動軸上に配置される。
【０１７９】
好ましくは、バッグキャリア３０１は、支持体３０３がフレーム３０２の内側に向かって傾斜するのを防止する少なくとも１つの止め部を有し、その結果、使用者がバッグを持ち歩いていない場合には、支持体３０３が使用者の邪魔にならないようになる。
【０１８０】
この例では、支持体３０３は、プレートの形態である。
【０１８１】
好ましくは、支持体３０３は、少なくとも、バッグと接触する面上にリブが付けられている。
【０１８２】
これは、支持体３０３上のバッグのグリップを改善する役割を果たす。
【０１８３】
上述のようなバッグキャリア３０１は、構造が単純である一方、人間工学的である。
【０１８４】
バッグキャリア３０１が少数の部品で構成されていることが観察されるべきである。バッグキャリア３０１は、安価に容易に大量生産することができる。
【０１８５】
当然、本発明は、本明細書に記載される実施形態に限定されず、実施形態の変形例も、特許請求の範囲によって規定される本発明の範囲を超えることなく、適用されてもよい。
【０１８６】
従って、バッグキャリアは、軍事的状況においても民間的状況においても等しく良好に使用するのに適している。
【０１８７】
バッグの重量を操作者から解放するために、操作者が直立している間、バッグキャリアが使用されることを観察すべきである。
【０１８８】
さらに、この例では、フレームは、２つの部分で構成されるが、フレームは、他のいくつかの数の部分で構成することができる。フレームは、単一部分としても同様に良好に作ることができる。
【０１８９】
最初の３つの実施形態では、フレームを構成するいくつかの部分は互いに完全に独立しているが、これらの部分は、例えば、第４の実施形態のように、選択的に一時的な方法で、互いに締結され得る。例えば、バッグキャリアは、２つのフレーム部分を一時的に一緒に固定することを可能にするラッチを組み込むことができる。
【０１９０】
同様にして、バッグキャリアの上方には、最初の３つの実施形態において２つの支持体があるが、バッグキャリアは、他のいくつかの数の支持体を有することができ、例えば、第４の実施形態と同様に、１つの支持体のみを有することができる。
【０１９１】
したがって、一般的な方法では、本出願に記載される実施形態のいくつかを組み合わせることによって、本発明のバッグキャリアを作ることができる。例えば、第４の実施形態の支持体は、第１の実施形態のようにオリフィスを有することができる。第４の実施形態の突起は、他の実施形態に適用することができる。
【０１９２】
支持体は、上記で記載された以外の方法でバッグキャリア上に取り付けることができる。例えば、支持体は、（記載されているようなキャリッジなどの追加の部品を必要とすることなく）２つの位置の間を直接的にフレーム上で移動するように取り付けることができる。支持体は、例えば、平行移動で移動することによって、上記で記載された動作以外の動作を行うことによって、２つの位置の間で移動可能であることが可能である。
【０１９３】
各支持体は、上記で記載されたもの以外のいくつかの他の数のピン及び／又は何らかの他の数のバネを用いてフレームに接続することができる。
【０１９４】
さらに、支持体は、フレーム上に移動可能に取り付ける必要はない。したがって、支持体は、フレームに固定した状態で固定することができる。次いで、支持体をフレームと一体的に作ることができ、又は、（接着剤によって、又は、ネジ締めによって、）それに堅固に固定されるように、フレームに嵌合される独立した部分を形成することができる。
【０１９５】
上述のような支持体は単一のプレートとして作られるが、支持体は他の何らかの方法で作ることができる。例えば、支持体は、（典型的には、入れ子式に動くように）互いに入れ子になっている複数の要素を有することができ、その結果、支持体は、その突出位置にないときに、よりコンパクトになる。一例として、遠位要素が固定状態でフレームに固定され（又は、変形例では、可動状態でフレームに固定され）、互いに入れ子になっている他の要素を有する支持体を有することが可能である。
【０１９６】
支持体がキャリッジを介してフレーム上に取り付けられる場合、前記キャリッジは、記載された以外の方法で配置することができる。例えば、キャリッジは、上述したように、円周方向の平行移動（すなわち、使用者の胴体の周りを移動する）の代わりに、又はそれに加えて、軸方向の平行移動（すなわち、上下に移動する、すなわち、好ましくは、実質的に垂直に移動する）及び／又は半径方向の平行移動（すなわち、使用者に向かって、又は使用者から離れる方向に移動する、すなわち、好ましくは、実質的に水平に移動する）で移動可能であってもよい。
【０１９７】
有利的には、少なくとも軸方向に移動可能なキャリッジを備えると、支持体は、バッグと接触するために上下に移動することができ、フレーム自体が使用者と相互作用する位置を変更する必要なく、そのようにすることができる。これは、特定の状況、特に、バッグの端子部分の長さは、使用者の胴体の高さが必然的に１人毎にかなり変化するにもかかわらず、バッグの所与のモデルに対して一定である、軍事的状況において特に有利であり、。
【０１９８】
上述したように、キャリッジは、使用者に対して移動しないことが可能である。
【０１９９】
上述の種々の部品は成形によって作られているが、上記の部品は、例えば三次元印刷によって異なるように作ることができる。
【０２００】
バッグキャリアは、軍事分野でよく知られているように、ストラップ以外の手段によって、例えばＭＯＬＬＥのインターフェイスを使用することによって、意図された装備に取り付けることができる。
【図１】
2021509346.tif 000002
【図２】
2021509346.tif 000003
【図３】
2021509346.tif 000004
【図４】
2021509346.tif 000005
【図５】
2021509346.tif 000006
【図６】
2021509346.tif 000007
【図７】
2021509346.tif 000008
【図８】
2021509346.tif 000009
【国際調査報告】
2021509346.tif 000010
2021509346.tif 000011
2021509346.tif 000012
2021509346.tif 000013
2021509346.tif 000014
2021509346.tif 000015